(57)【特許請求の範囲】
【請求項１】
トイレ装置とリモートコントローラとが前記トイレ装置の設定値を電波で送受するトイ
レシステムであって、
前記リモートコントローラは、
ユーザが前記トイレ装置の設定値を変更するために操作する操作部と、
前記設定値を示す設定情報を表示可能な表示部と、
前記操作部が操作された場合には、前記操作部に対応する前記設定情報を前記トイレ装置に第１の電波強度で送信する無線通信部と、
を備え、
前記トイレ装置は、前記無線通信部から前記電波で送信された前記設定情報を記憶する記憶装置を備え、
前記表示部は、前記操作部が操作された場合には、前記記憶装置に記憶されている前記設定情報を前記無線通信部によって前記トイレ装置から受信し、受信した前記設定情報を表示するトイレシステム。
【請求項２】
前記トイレ装置は、自装置の状態に基づいて前記無線通信部から前記電波で送信された前記設定情報に前記トイレ装置の設定情報を切り替えるか否かを判定する判定部と、
前記トイレ装置の設定情報を切り替えると判定された場合には、前記無線通信部から前記電波で送信された前記設定情報に前記トイレ装置の設定情報を切り替えるとともに、切り替えた設定情報を記憶装置に記憶し、前記トイレ装置の設定情報を切り替えないと判定された場合には、前記無線通信部から前記設定情報を受信しても前記トイレ装置の設定情報を切り替えない切替部と、
をさらに備え、
前記表示部は、前記切替部により切り替えられた設定情報を前記トイレ装置から受信し、表示する設定情報を、前記受信した前記設定情報に切り替える請求項１に記載のトイレシステム。
【請求項３】
前記無線通信部は、前記リモートコントローラが所定の位置に存在しないときには、前記第１の電波強度よりも強い第２の電波強度の電波で前記設定情報を送信する請求項１又は請求項２に記載のトイレシステム。
【請求項４】
前記トイレ装置が設置されるトイレルーム内に設けられ、前記リモートコントローラを着脱可能に保持するリモコンホルダをさらに備え、
前記所定の位置とは、前記リモートコントローラが前記リモコンホルダに保持される位置である請求項３に記載のトイレシステム。
【請求項５】
前記無線通信部は、前記リモートコントローラに電源が投入された場合に、前記第１の電波強度よりも強い第２の電波強度の電波で前記設定情報を送信する請求項１又は請求項２に記載のトイレシステム。
【請求項６】
前記無線通信部は、前記電源が投入された場合には、前記操作部が操作された回数が、所定の回数に達するまで前記第１の電波強度よりも強い第２の電波強度の電波で前記トイレ装置と通信する請求項５に記載のトイレシステム。
【発明の詳細な説明】
【技術分野】
【０００１】
本発明は、トイレシステムに関する。
【背景技術】
【０００２】
従来から、内蔵する電池を電源として、トイレ装置の設定値を変更可能なリモートコントローラがある。このリモートコントローラは、内蔵する電池がユーザにより交換された場合には、電池交換前のトイレ装置の設定値をリモートコントローラの表示画面に表示できるように、リモートコントローラにトイレ装置の設定値を記憶可能な記憶メモリを搭載している。これにより、リモートコントローラは、トイレ装置の設定値が変更される毎にその変更された設定値を記憶メモリに上書きする。そして、リモートコントローラは、電池の交換後に、記憶メモリから設定値を読み出して表示画面に表示することができる。
【先行技術文献】
【特許文献】
【０００３】
【特許文献１】特開２００９−１６１９０１号公報
【発明の概要】
【発明が解決しようとする課題】
【０００４】
しかしながら、上述のリモートコントローラでは、電池が交換された場合に電池交換前のトイレ装置の設定値をリモートコントローラの表示画面に表示可能とするため、その設定値を記憶する記憶メモリを搭載する必要がある。
【０００５】
本発明は、このような事情に鑑みてなされたもので、その目的は、記憶メモリをリモートコントローラに搭載せずに、トイレ装置の設定値をリモートコントローラの表示画面に表示可能なトイレシステムを提供することである。
【課題を解決するための手段】
【０００６】
本発明の一態様は、トイレ装置とリモートコントローラとが前記トイレ装置の設定値を電波で送受するトイレシステムであって、前記リモートコントローラは、ユーザが前記トイレ装置の設定値を変更するために操作する操作部と、前記設定値を示す設定情報を表示可能な表示部と、前記操作部が操作された場合には、前記操作部に対応する前記設定情報を前記トイレ装置に第１の電波強度で送信する無線通信部と、を備え、前記トイレ装置は、前記無線通信部から前記電波で送信された前記設定情報を記憶する記憶装置を備え、前記表示部は、前記操作部が操作された場合には、前記記憶装置に記憶されている前記設定情報を前記無線通信部によって前記トイレ装置から受信し、受信した前記設定情報を表示するトイレシステムである。
【０００７】
また、本発明の一態様は、上述のトイレシステムであって、前記トイレ装置は、自装置の状態に基づいて前記無線通信部から前記電波で送信された前記設定情報に前記トイレ装置の設定情報を切り替えるか否かを判定する判定部と、前記トイレ装置の設定情報を切り替えると判定された場合には、前記無線通信部から前記電波で送信された前記設定情報に前記トイレ装置の設定情報を切り替えるとともに、切り替えた設定情報を記憶装置に記憶し、前記トイレ装置の設定情報を切り替えないと判定された場合には、前記無線通信部から前記設定情報を受信しても前記トイレ装置の設定情報を切り替えない切替部と、をさらに備え、前記表示部は、前記切替部により切り替えられた設定情報を前記トイレ装置から受信し、表示する設定情報を、前記受信した前記設定情報に切り替える。
【０００８】
また、本発明の一態様は、上述のトイレシステムであって、前記無線通信部は、前記リモートコントローラが所定の位置に存在しないときには、前記第１の電波強度よりも強い第２の電波強度の電波で前記設定情報を送信する。
【０００９】
また、本発明の一態様は、上述のトイレシステムであって、前記トイレ装置が設置されるトイレルーム内に設けられ、前記リモートコントローラを着脱可能に保持するリモコンホルダをさらに備え、前記所定の位置とは、前記リモートコントローラが前記リモコンホルダに保持される位置である。
【００１０】
また、本発明の一態様は、上述のトイレシステムであって、前記無線通信部は、前記リモートコントローラに電源が投入された場合に、前記第１の電波強度よりも強い第２の電波強度の電波で前記設定情報を送信する。
【００１１】
また、本発明の一態様は、上述のトイレシステムであって、前記無線通信部は、前記電源が投入された場合には、前記操作部が操作された回数が、所定の回数に達するまで前記第１の電波強度よりも強い第２の電波強度の電波で前記トイレ装置と通信する。
【発明の効果】
【００１２】
以上説明したように、本発明によれば、記憶メモリをリモートコントローラに搭載せずに、トイレ装置の設定値をリモートコントローラの表示画面に表示可能なトイレシステムを提供することができる。
【図面の簡単な説明】
【００１３】
【図１】第１の実施形態におけるトイレシステム１の概略構成の一例を示す図である。
【図２】第１の実施形態における表示部１５０に表示する設定情報の一例を示す図である。
【図３】第１の実施形態における便座ボックス５の概略構成の一例を示す図である。
【図４】第１の実施形態におけるリモコン１０の概略構成の一例を示す図である。
【図５】第１の実施形態におけるリモコン１０の処理の流れを示す図である。
【図６】第２の実施形態におけるトイレシステム１Ａの概略構成の一例を示す図である。
【図７】第２の実施形態におけるリモコン１０Ａの概略構成の一例を示す図である。
【図８】第２の実施形態におけるリモコン１０Ａの処理の流れを示す図である。
【発明を実施するための形態】
【００１４】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一又は類似の部分には同一の符号を付して、重複する説明を省く場合がある。また、図面における要素の形状及び大きさなどはより明確な説明のために誇張されることがある。
【００１５】
以下、実施形態のリモートコントローラを、図面を用いて説明する。
【００１６】
（第１の実施形態）
図１は、第１の実施形態におけるトイレシステム１の概略構成の一例を示す図である。
図１に示すように、トイレシステム１は、トイレ装置２及びリモートコントローラ（以下、「リモコン」という。）１０を備える。
トイレ装置２は、便座装置３及び便器本体４を備える。第１の実施形態において、トイレ装置２は、便座装置３及び便器本体４を備えるが、これに限定されない。例えば、トイレ装置２は、便座装置３及び便器本体４のいずれかであってもよい。
【００１７】
便座装置３は、リモコン１０と無線通信することで情報を送受する。この無線通信とは、電波による通信（以下、「電波通信」という。）である。
便座装置３は、トイレルーム内に設けられた便器本体４上に設置されている。便座装置３は、便座ボックス５、便蓋６及び便座７を備える。
便座ボックス５は、便器本体４の後部に設置されている。
便蓋６及び便座７は、便座ボックス５に対して上下方向に回動可能に支持されている。
【００１８】
リモコン１０は、便座ボックス５と電波通信する。リモコン１０は、電池２００（後述する）を電源としてトイレ装置２の設定値を変更可能である。例えば、ユーザは、シャワー洗浄の水勢・水温・洗浄ノズルの位置等の各個人の快適な設定値をリモコン１０から電波でトイレ装置２に送信させることで、トイレ装置２に対して快適な使用条件を容易に設定することができる。例えば、ユーザは、リモコン１０の前面に設けられている操作部１１０を操作することで、シャワー洗浄の水勢・水温・ノズル位置等の設定値を変更することができる。
【００１９】
また、リモコン１０は、トイレ装置２の現在の設定値を示す設定情報を表示部１５０に表示する。例えば、リモコン１０は、表示部１５０に設定情報を表示させる表示条件が成立した場合にトイレ装置２の現在の設定値を示す設定情報を表示部１５０に表示する。例えば、表示条件が成立した場合とは、操作部１１０が操作された場合である。ただし、リモコン１０は、表示条件が成立した場合には、表示部１５０に表示させる設定情報をトイレ装置２から電波通信で取得する。これにより、リモコン１０は、設定情報を記憶する記憶メモリを備えずに、ユーザに対してトイレ装置２の設定情報を報知することができる。図２は、第１の実施形態における表示部１５０に表示する設定情報を示す図である。表示部１５０は、現在のトイレ装置２の設定情報を表示可能である。例えば、表示部１５０は、便座７の温度、洗浄ノズルから噴出する温水温度、乾燥用温風の温度、トイレ装置２に備えられた暖房装置（不図示）の電源入／切を表示する。
【００２０】
また、リモコン１０の前面には、２個の便器洗浄ボタン（大洗浄ボタン５０、小洗浄ボタン５１）やシャワー洗浄ボタン５２を備えられており、ユーザは、便器洗浄ボタンやシャワー洗浄ボタン５２を操作することで、便器洗浄やシャワー洗浄等のさまざまな機能を実行可能である。
【００２１】
図３は、第１の実施形態における便座ボックス５の概略構成の一例を示す図である。
便座ボックス５は、人体臀部洗浄用のシャワー装置１５、制御装置１７、無線通信部１８及び記憶装置１９を備える。
【００２２】
シャワー装置１５は、制御装置１７から供給される第１洗浄信号に基づいてノズル(不図示)の先端から洗浄水を噴出する。これにより、シャワー装置１５は、便座７に着座しているユーザの臀部を洗浄するシャワー洗浄を実施する。シャワー装置１５は、リモコン１０に設けたシャワー洗浄ボタン５２が操作されることで供給された第１洗浄信号に基づいてシャワー洗浄を実施する。
【００２３】
制御装置１７は、リモコン１０から電波で送信されたトイレ装置２の設定情報を無線通信部１８を介して取得する。そして、制御装置１７は、現在のトイレ装置２の設定値を、取得した設定情報が示すトイレ装置２の設定値に変更するとともに、その取得した設定情報を記憶装置１９に上書きする。これにより、記憶装置１９には、トイレ装置２の最新の設定情報が記憶される。なお、制御装置１７は、リモコン１０から電波で送信されたトイレ装置２の設定情報の内容を実行するか否かをトイレ装置２の状態に基づいて判定してもよい。換言すれば、制御装置１７は、記憶装置１９に記憶されている設定情報をリモコン１０から電波で送信されたトイレ装置２の設定情報の内容に更新するか否かを、トイレ装置２の状態に基づいて判定してもよい。
【００２４】
例えば、制御装置１７は、トイレ装置２が便器洗浄を実行している状態にある場合、リモコン１０からノズル位置の設定情報を取得しても、その取得したノズル位置の設定情報に変更する処理を実行しない。制御装置１７は、リモコン１０から電波で送信されたトイレ装置２の設定情報の内容を実行しないと判定した場合には、記憶装置１９に記憶されている設定情報を、リモコン１０から電波で送信されたトイレ装置２の設定情報に更新しない。一方、制御装置１７は、リモコン１０から電波で送信されたトイレ装置２の設定情報の内容を実行すると判定した場合には、記憶装置１９に記憶されている設定情報をリモコン１０から電波で送信されたトイレ装置２の設定情報に更新する。
【００２５】
ただし、制御装置１７は、リモコン１０から電波で送信されたトイレ装置２の設定情報の内容を実行したか否かに係わらず、リモコン１０に対して記憶装置１９内に記憶されている設定情報を電波で送信する。すなわち、制御装置１７は、リモコン１０から電波で送信されたトイレ装置２の設定情報の内容を実行すると判定した場合には、記憶装置１９に記憶されている設定情報をリモコン１０から電波で送信されたトイレ装置２の設定情報に更新し、その更新した設定情報をリモコン１０に電波で送信する。一方、制御装置１７は、リモコン１０から電波で送信されたトイレ装置２の設定情報の内容を実行しないと判定した場合には、記憶装置１９に記憶されている設定情報を更新せず、その記憶装置１９に記憶されている設定情報をリモコン１０に電波で送信する。リモコン１０は、制御装置１７から取得した設定情報を表示部１５０に表示する。すなわち、トイレ装置２の設定情報が切り替わった（記憶装置１９の設定情報が更新された）場合には、表示部１５０に表示される設定情報が切り替わる。一方、トイレ装置２の設定情報が切り替わらなかった（記憶装置１９の設定情報が更新されない）場合には、表示部１５０に表示される設定情報が切り替わらない。
【００２６】
また、制御装置１７は、リモコン１０から電波通信によるリクエストがあった場合に、そのリクエストを送信したリモコン１０に対して記憶装置１９内に記憶されている設定情報を電波で送信する。
【００２７】
図４は、第１の実施形態におけるリモコン１０の概略構成の一例を示す図である。
図４に示すように、リモコン１０は、操作部１１０、制御部１２０、無線通信部１４０、表示部１５０及び電池２００を備える。電池２００は、リモコン１０の各部に電源を供給する。
【００２８】
操作部１１０は、ユーザがトイレ装置２の設定値を変更するために操作される。
制御部１２０は、例えばＣＰＵ（Central Processing Unit）である。
制御部１２０は、ユーザにより操作部１１０が操作されると、その操作により変更されたトイレ装置２の設定情報を無線通信部１４０に出力する。
無線通信部１４０は、ユーザが操作部１１０を操作することで変更された設定情報をトイレ装置２に電波で送信する。
【００２９】
また、制御部１２０は、表示条件が成立した場合には、トイレ装置２に対して設定情報を要求するリクエストを無線通信部１４０から第１の強度の電波で送信する。例えば、制御部１２０は、操作部１１０が操作された場合にトイレ装置２に対してリクエストを電波で送信する。これにより、記憶装置１９に記憶されている現在のトイレ装置２の設定情報がトイレ装置２からリモコン１０に電波で送信される。すなわち、無線通信部１４０は、トイレ装置２と第１の電波強度の電波で通信することで、表示部１５０に表示させる設定情報に対応する設定情報を記憶装置１９から取得する。
【００３０】
制御部１２０は、電波通信により無線通信部１４０を介して取得した設定情報を表示部１５０に出力する。これにより、表示部１５０は、制御部１２０から出力された設定情報を表示する。
【００３１】
以下、第１の実施形態におけるリモコン１０の処理の流れについて、説明する、図５は、第１の実施形態におけるリモコン１０の処理の流れを示す図である。
【００３２】
制御部１２０は、操作部１１０がユーザに操作されると、その操作により対応するトイレ装置２の設定情報を無線通信部１４０に出力する（ステップＳ１０１）。そして、無線通信部１４０は、制御部１２０から出力された設定情報を、電波通信によりトイレ装置２に送信する（ステップＳ１０２）。これにより、トイレ装置２は、現在のトイレ装置２の設定値を、電波通信によりリモコン１０から取得した設定情報が示すトイレ装置２の設定値に変更するとともに、その取得した設定情報を記憶装置１９に上書きする。これにより、記憶装置１９に記憶されるトイレ装置２の設定値を最新の設定値に更新する。ただし、トイレ装置２は、自装置の設定情報をリモコン１０から電波で送信された設定情報に切り換えないと判定した場合には、リモコン１０から取得した設定情報を記憶装置１９に上書しない。すなわち、トイレ装置２は、自装置の設定情報を、リモコン１０から電波で送信されたトイレ装置２の設定情報に切り替えると判定した場合には、当該切り替えを実行し、切り替えた設定情報を記憶装置１９に上書する。そして、トイレ装置２は、記憶装置１９に上書きした設定情報をリモコン１０に電波で送信する。
【００３３】
無線通信部１４０は、トイレ装置２と第１の電波強度の電波で通信することで、トイレ装置２の現在の設定情報を記憶装置１９から取得する（ステップＳ１０３）。
【００３４】
制御部１２０は、電波通信により無線通信部１４０を介して取得した設定情報を表示部１５０に出力する。これにより、表示部１５０は、制御部１２０から出力された設定情報を表示する（ステップＳ１０４）。これにより、トイレ装置２の設定情報が切り替わった場合には、表示部１５０に表示される設定情報が切り替わる。
【００３５】
上述したように、第１の実施形態におけるトイレシステム１は、トイレ装置２とリモコン１０とがトイレ装置２の設定情報を電波で送受するトイレシステムである。リモコン１０は、ユーザがトイレ装置２の設定値を変更するために操作する操作部１１０と、その設定値を示す設定情報を表示可能な表示部１５０と、ユーザが操作部１１０を操作することで変更された設定値の設定情報をトイレ装置２に送信する無線通信部１４０と、を備える。トイレ装置２は、無線通信部１４０から電波で送信された設定情報を記憶する記憶装置１９を備える。そして、リモコン１０の無線通信部１４０は、トイレ装置２と第１の電波強度の電波で通信することで、表示部１５０に表示させる設定情報を記憶装置１９から取得する。
【００３６】
このように、リモコン１０は、電池２００が交換された場合においても、表示条件が成立すれば、トイレ装置２からトイレ装置２の現在の設定情報を電波通信により取得可能である。したがって、トイレシステム１は、トイレ装置２の設定情報を記憶する記憶メモリをリモコン１０に搭載せずに、リモコン１０の電池２００が交換された場合でも電池交換前のトイレ装置２の設定情報をリモコン１０の表示部１５０に表示させることができる。すなわち、電池２００がリモコン１０から切り離されることで、リモコン１０内のＲＡＭ（Random Access Memory）内に一時的に記憶される設定情報が消えてしまった場合でも、電池２００がリモコン１０に再度接続された後に、リモコン１０は、トイレ装置２からトイレ装置２の現在の設定値を示す設定情報を電波通信により取得可能である。これにより、トイレ装置２の設定情報を記憶する記憶メモリをリモコン１０に設ける必要がないため、安価なリモコン１０を提供することができる。
【００３７】
また、上述の実施形態において、制御装置１７は、自装置の状態に基づいて、リモコン１０から電波で送信された設定情報にトイレ装置２の設定情報を切り替えるか否かを判定する判定部と、トイレ装置２の設定情報を切り替えると判定された場合には、リモコン１０から電波で送信された設定情報にトイレ装置２の設定情報を切り替えるとともに、切り替えた設定情報を記憶装置１９に記憶する切替部と、をさらに備えてもよい。これにより、トイレ装置２の設定情報が切り替わった場合に、表示部１５０に表示される設定情報を切り替えることができる。
【００３８】
（第２の実施形態）
第２の実施形態におけるリモコン１０Ａは、自装置が所定の位置にない場合や電源としての電池２００が交換された直後等に通常よりも強い電波で、トイレ装置２の設定情報をリクエストしたり、必要な情報をトイレ装置２に送信する。これにより、リモコン１０Ａは、自装置が所定の位置にない場合等でも、トイレ装置２の設定情報を取得することができる。
【００３９】
図６は、第２の実施形態におけるトイレシステム１Ａの概略構成の一例を示す図である。図６に示すように、トイレシステム１Ａは、トイレ装置２、リモコン１０Ａ及びリモコンホルダ１１を備える。
リモコン１０Ａは、自装置が所定の位置に存在しないときには、第１の電波強度よりも強い第２の電波強度の電波でトイレ装置２と通信する。第２の実施形態において、所定の位置とは、リモコン１０がリモコンホルダ１１に保持される位置である。
リモコンホルダ１１は、トイレ装置２が設置されるトイレルーム内に設けられ、リモコン１０を着脱可能に保持する。
【００４０】
図７は、第２の実施形態におけるリモコン１０Ａの概略構成の一例を示す図である。
図７に示すように、リモコン１０Ａは、操作部１１０、制御部１２０Ａ、無線通信部１４０Ａ、表示部１５０、検出部１６０及び電池２００を備える。電池２００は、リモコン１０Ａの各部に電源を供給する。
【００４１】
検出部１６０は、リモコン１０Ａがリモコンホルダ１１に装着されていることを検出する。検出部１６０は、リモコン１０Ａがリモコンホルダ１１に装着されていることを検出した場合には、制御部１２０Ａに検出信号を出力する。これにより、制御部１２０Ａは、検出部１６０から検出信号を取得すると、リモコン１０Ａが所定の位置に存在すると判定する。なお、本実施形態における検出部１６０は、リモコン１０Ａがリモコンホルダ１１に装着されていることを検出する方法には、特に限定されないが、例えば、リモコンホルダ１１に設けられた突起部（不図示）によりオン状態となるスイッチである。すなわち、検出部１６０は、リモコン１０Ａがリモコンホルダ１１に装着されると、リモコンホルダ１１に設けられた突起部によりオン状態となる。そして、検出部１６０は、オン状態となった場合には、制御部１２０Ａに検出信号を出力する。
【００４２】
また、例えば、検出部１６０は、ホールＩＣであり、リモコンホルダ１１に備えられた磁石（不図示）の磁界を検出することでリモコン１０Ａがリモコンホルダ１１に装着されていることを検出してもよい。すなわち、検出部１６０は、リモコン１０Ａがリモコンホルダ１１に装着されると、リモコンホルダ１１に設けられた磁石の磁界を検出することで制御部１２０Ａに検出信号を出力してもよい。
【００４３】
制御部１２０Ａは、例えばＣＰＵ（Central Processing Unit）である。無線通信部１４０Ａは、表示条件が成立した場合には、トイレ装置２に対して設定情報を要求するリクエストを第１の強度の電波で送信する。ただし、無線通信部１４０Ａは、リモコン１０Ａが所定の位置に存在しないと判定された場合には、第１の電波強度よりも強い第２の電波強度の電波でリクエストをトイレ装置２に送信する。すなわち、制御部１２０Ａは、検出部１６０から検出信号が出力された場合には、リモコン１０Ａが所定の位置に存在すると判定する。一方、制御部１２０Ａは、検出部１６０から検出信号が出力されない場合には、リモコン１０Ａが所定の位置に存在しないと判定する。そして、無線通信部１４０Ａは、リモコン１０Ａが所定の位置に存在しないと判定された場合には、第１の電波強度よりも強い第２の電波強度の電波でリクエストをトイレ装置２に送信する。
【００４４】
以下、第２の実施形態におけるリモコン１０Ａの処理の流れについて、説明する、図８は、第２の実施形態におけるリモコン１０Ａの処理の流れを示す図である。なお、第２の実施形態において、制御部１２０Ａは、操作部１１０がユーザに操作される毎に、その操作により対応するトイレ装置２の設定情報をトイレ装置２に電波で送信する。これにより、記憶装置１９に記憶されるトイレ装置２の設定値を最新の設定値に更新する。
【００４５】
制御部１２０Ａは、操作部１１０が操作された場合等の表示条件が成立すると（ステップＳ２０１）、リモコン１０Ａが所定に位置に存在するか否かを判定する（ステップＳ２０２）。制御部１２０Ａは、表示条件が成立しない場合には、表示部１５０に設定情報を表示する処理を行わない。
【００４６】
制御部１２０Ａは、検出部１６０から検出信号が出力された場合には、リモコン１０Ａが所定に位置に存在すると判定する。無線通信部１４０は、リモコン１０Ａが所定の位置に存在すると判定された場合には、第１の電波強度の電波でリクエストをトイレ装置２に送信する（ステップＳ２０３）。
一方、制御部１２０Ａは、検出部１６０から検出信号が出力されない場合には、リモコン１０Ａが所定に位置に存在しないと判定する。無線通信部１４０は、リモコン１０Ａが所定の位置に存在しないと判定された場合には、第１の電波強度よりも強い第２の電波強度の電波でリクエストをトイレ装置２に送信する（ステップＳ２０４）。
【００４７】
トイレ装置２は、リモコン１０Ａから電波通信によるリクエストがあった場合には、そのリクエストを送信したリモコン１０Ａに対して記憶装置１９内に記憶されている設定情報を電波で送信する。これにより、無線通信部１４０Ａは、トイレ装置２と電波で通信することで、トイレ装置２の現在の設定値の設定情報を記憶装置１９から取得する（ステップＳ２０５）。
【００４８】
制御部１２０Ａは、電波通信により無線通信部１４０を介して取得した設定情報を表示部１５０に出力する。これにより、表示部１５０は、制御部１２０から出力された設定情報を表示する（ステップＳ２０６）。
【００４９】
上述したように、無線通信部１４０Ａは、リモコン１０Ａが所定の位置に存在しないときには、第１の電波強度よりも強い第２の電波強度の電波でトイレ装置２と通信することでトイレ装置２内の記憶装置１９に記憶された設定情報を取得する。これにより、第２の実施形態におけるトイレシステム１Ａは、第１の実施形態と同様の効果を有する。また、ユーザによる電池２００の交換時等において、リモコン１０Ａがトイレルームから持ち出された場合においても、リモコン１０Ａは、トイレ装置２の現在の設定情報を取得することができる。すなわち、第１の電波強度の電波ではトイレ装置２とリモコン１０Ａとが電波通信できない場所にリモコン１０Ａが持ち出された場合において、リモコン１０Ａは、第１の電波強度よりも強い第２の強度でトイレ装置２と電波通信することで表示部１５０に設定情報を表示することができる。また、リモコン１０Ａは、自装置が所定の位置に存在している場合では、第１の電波強度でトイレ装置２と電波通信するため、電池２００の電池寿命を必要以上に損なうことがない。
【００５０】
また、第２の実施形態において、リモコン１０Ａは、所定の位置をリモコンホルダ１１に保持される位置として、自装置が所定の位置に存在しないときには、第１の電波強度よりも強い第２の電波強度の電波でトイレ装置２と通信したが、これに限定されない。例えば、電池２００の交換は、トイレ以外で行う場合がある。そのため、リモコン１０Ａは、所定の位置にあるか否かの判定を、ユーザにより電池２００がリモコン１０Ａに接続されたか否かに基づいて行うようにしてもよい。すなわち、リモコン１０Ａは、電池２００がリモコン１０Ａに接続された場合に、第１の電波強度よりも強い第２の電波強度の電波でトイレ装置２と通信してもよい。例えば、リモコン１０Ａは、電池２００から電源が投入された場合に、所定の位置にないと判定し、電池２００が接続されたと判定する。そして、リモコン１０Ａは、電池２００がリモコン１０Ａに接続されたと判定された場合に、第１の電波強度よりも強い第２の電波強度の電波でリクエストをトイレ装置２に送信することで、トイレ装置２の設定情報をトイレ装置２から取得してもよい。また、第２の実施形態において、無線通信部１４０Ａは、電池２００がリモコン１０Ａに接続された場合には、ユーザにより操作部１１０が操作された回数が、所定の回数に達するまで第１の電波強度よりも強い第２の電波強度の電波でリクエストをトイレ装置２に送信することで、トイレ装置２の設定情報をトイレ装置２から取得してもよい。
【００５１】
また、上述した実施形態における制御部１２０をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００５２】
以上、この発明の実施形態について図面を参照して詳述してきたが、具体的な構成はこの実施形態に限られるものではなく、この発明の要旨を逸脱しない範囲の設計等も含まれる。
【符号の説明】
【００５３】
１、１Ａ  トイレシステム
２  トイレ装置
５  便座ボックス
１５  シャワー装置
１７  制御装置
１８  無線通信部
１９  記憶装置
１０、１０Ａ  リモコン
１１０  操作部
１２０、１２０Ａ  制御部
１４０、１４０Ａ  無線通信部
１５０  表示部
２００  電池
【図１】
0006659423.tif 000002
【図２】
0006659423.tif 000003
【図３】
0006659423.tif 000004
【図４】
0006659423.tif 000005
【図５】
0006659423.tif 000006
【図６】
0006659423.tif 000007
【図７】
0006659423.tif 000008
【図８】
0006659423.tif 000009